(57)【特許請求の範囲】
【請求項１】
チューナーからの入力信号と、ｍ系統（ｍは自然数）のビデオ入力信号と、ビデオ切換信号によって１だけ加算するｍ＋１進カウンタと、前記ｍ＋１進カウンタの出力（０からｍまでの整数）を別の０からｍの整数に変換する変換テーブルと、前記変換テーブルが変換した別の０からｍの整数により前記チューナーからの入力信号と、前記ｍ系統のビデオ入力信号から１つを選択するビデオ切換スイッチとを備えたビデオ切換スイッチ制御装置。
【請求項２】
チューナーからの入力信号と、ｍ系統（ｍは自然数）のビデオ入力信号と、ビデオ切換信号によって１だけ加算するｍ＋１進カウンタと、前記ｍ＋１進カウンタの出力（０からｍまでの整数）を別の０からｍの整数に変換する複数個の変換テーブルと、変換テーブル選択信号によって前記複数個の変換テーブルの出力のうち任意の１つを選択する変換テーブル切換スイッチと、前記変換テーブル切換スイッチから入力した別の０からｍの整数により前記チューナーからの入力信号と、前記ｍ系統のビデオ入力信号から１つを選択するビデオ切換スイッチとを備えたビデオ切換スイッチ制御装置。
【請求項３】
前記変換テーブルは、変換テーブル書き換え命令に従って任意の値に書き換えすることのできることを特徴とする請求項１記載のビデオ切換スイッチ制御装置。
【請求項４】
前記ｍ＋１進カウンタの出力が０のとき、前記変換テーブルの出力が０となり前記ビデオ切換スイッチは前記チューナーからの入力信号になることを特徴とする請求項１乃至３のいずれかに記載のビデオ切換スイッチ制御装置。
【発明の詳細な説明】
【０００１】
【発明の属する技術分野】
本発明はテレビジョン受像機（国際特許分類Ｈ０４Ｎ）等に利用されるビデオ切換スイッチ制御装置に関するものである。
【０００２】
【従来の技術】
近年、モニター装置やテレビジョン受像機においては地上波放送だけでなくビデオ機器等を接続するための各種映像入力端子が複数設けられ、これらの映像入力端子に接続された映像ソースのうちから、ユーザーがリモートコントローラー等の操作により、任意に１つを選択することのできる機能を有するものが知られている。そして、この時の選択に際しては例えばビデオ切換ボタンが設けられ、このビデオ切換ボタンを押すたびに映像ソースが順次切り換わるというものが知られている。（特開平７−１４７６５４号公報）
図７は、特開平７−１４７６５４号公報のビデオ切換スイッチ制御装置を示したものである。
【０００３】
図７において符号１はチューナーからの入力信号、２はｍ系統のビデオ入力信号、３はビデオ切換信号、５はビデオ切換信号によって１だけ加算するｍ＋１進カウンタ、１０はｍ＋１進カウンタの出力によりチューナーからの入力信号とｍ系統のビデオ入力信号から１つを選択するビデオ切換スイッチ、１１はビデオ切換スイッチで選択された入力信号を処理する映像処理回路、１２は映像処理回路で処理された映像を出力する映像出力手段である。
【０００４】
以上のように構成されたビデオ切換スイッチ制御装置において、以下のその動作を説明する。
リモートコントローラー等のビデオ切換信号３が入力されると、ｍ＋１進カウンタ５は内部のカウンタの値を１だけ加算する。ビデオ切換スイッチ１０はｍ＋１進カウンタ５の値に応じて、例えばカウンタの値が０であればチューナーからの入力信号１にスイッチを切り換え、１であればｍ系統のビデオ入力２のうちのビデオ入力１にスイッチを切り換え、２であればビデオ入力２にスイッチを切り換え、ｍであればビデオ入力ｍにスイッチを切り換える。
【０００５】
【発明の解決しようとする課題】
しかし、従来の構成はｍ＋１進カウンタとビデオ切換スイッチとの関係が常に一意に決まっているため、例えばテレビを見ていた後でゲームをやろうとした場合、ゲーム機器がビデオ入力３に接続していたとすると、ビデオ切換ボタンを３回押さなければならない等、非常に使い勝手の悪いものとなっていた。
【０００６】
【課題を解決するための手段】
本発明はこの問題を解決するために、チューナーからの入力信号と、ｍ系統のビデオ入力信号と、ビデオ切換信号と、前記ビデオ切換信号によって１だけ加算するｍ＋１進カウンタと、前記ｍ＋１進カウンタの出力を別の０からｍの値に変換する変換テーブルと、前記変換テーブルの出力により前記チューナーからの入力信号と前記ｍ系統のビデオ入力信号から１つを選択するビデオ切換スイッチと、前記ビデオ切換スイッチで選択された入力信号を処理する映像処理回路と、前記映像処理回路で処理された映像を出力する映像出力手段を備えたビデオ切換スイッチ制御装置を提供するものである。
【０００７】
この構成により、ｍ＋１進カウンタとビデオ切換スイッチの関係を変えることが可能となり、１回のビデオ切換ボタンの操作で目的とするビデオ入力ソースに切り換えることができる。
【０００８】
【発明の実施の形態】
本第１の発明は、チューナーからの入力信号と、ｍ系統（ｍは自然数）のビデオ入力信号と、ビデオ切換信号によって１だけ加算するｍ＋１進カウンタと、前記ｍ＋１進カウンタの出力（０からｍまでの整数）を別の０からｍの整数に変換する変換テーブルと、前記変換テーブルが変換した別の０からｍの整数により前記チューナーからの入力信号と、前記ｍ系統のビデオ入力信号から１つを選択するビデオ切換スイッチとを備えたものである。
【０００９】
本第２の発明は、チューナーからの入力信号と、ｍ系統（ｍは自然数）のビデオ入力信号と、ビデオ切換信号によって１だけ加算するｍ＋１進カウンタと、前記ｍ＋１進カウンタの出力（０からｍまでの整数）を別の０からｍの整数に変換する複数個の変換テーブルと、変換テーブル選択信号によって前記複数個の変換テーブルの出力のうち任意の１つを選択する変換テーブル切換スイッチと、前記変換テーブル切換スイッチから入力した別の０からｍの整数により前記チューナーからの入力信号と、前記ｍ系統のビデオ入力信号から１つを選択するビデオ切換スイッチとを備えたものである。
【００１０】
本第３の発明は、本第１の発明の前記変換テーブルは、変換テーブル書き換え命令に従って任意の値に書き換えすることのできるものである。
【００１１】
本第４の発明は、本第１乃至３の発明において前記ｍ＋１進カウンタの出力が０のとき、前記変換テーブルの出力が０となり前記ビデオ切換スイッチは前記チューナーからの入力信号になるものである。
【００１２】
以下、本発明の実施例について、図面を参照しながら説明する。
（実施の形態１）
図１に本発明の実施の形態１におけるビデオ切換スイッチ制御装置のブロック構成図を示す。
【００１３】
図１において、符号１はチューナーからの入力信号、２はｍ系統のビデオ入力信号、３はビデオ切換信号、５はビデオ切換信号３によって１だけ加算するｍ＋１進カウンタ、６はｍ＋１進カウンタ５の出力を別の０からｍの値に変換する変換テーブル、１０は変換テーブル６の出力によりチューナーからの入力信号１とｍ系統のビデオ入力信号２から１つを選択するビデオ切換スイッチ、１１はビデオ切換スイッチ１０で選択された入力信号を処理する映像処理回路、１２は映像処理回路１１で処理された映像を出力する映像出力手段である。以下にその動作について説明する。
【００１４】
ビデオ切換信号３が入力されると、ｍ＋１進カウンタ５はカウンタの値を１だけ加算する。変換テーブル６はｍ＋１カウンタ５の出力を入力として、別の出力を決定する。
例えば、図４のような変換テーブルの場合、ｍ＋１進カウンタ５の値が０であれば出力は０となり、ｍ＋１進カウンタ５の値が４であれば出力は４となる。
ビデオ切換スイッチ１０は、変換テーブル６から出力された値により、チューナーからの入力信号１またはビデオ入力信号２の中から切り換える映像ソースを選択する。
【００１５】
例えば、変換テーブルが図４であればｍ＋１進カウンタ５からの出力値が０であれば変換テーブル６の出力も０になりビデオ切換スイッチ１０はチューナー１に切り換えられ、ｍ＋１進カウンタ５からの出力値が１であれば変換テーブル６の出力も１になりビデオ入力１に切り換えられ、ｍ＋１進カウンタ５からの出力値が４であれば変換テーブル６の出力も４になりビデオ入力４に切り換えられ、例えばゲーム機器が接続ビデオ入力４に入力されていればゲームを見
ることができる。
【００１６】
上記実施例は変換テーブル６として図４のような変換テーブルを用いたが、図５のような変換テーブルを用いるとビデオ切換信号３が入力されるごとにテレビ、ゲーム、ビデオ入力１、ビデオ入力２、ビデオ入力３の順に切り換えることができる。
【００１７】
映像処理回路１１はビデオ切換スイッチ１０で切り換えられた映像に対して補正等の処理をし、映像出力手段１２は映像処理回路１１で処理された映像をＣＲＴ等に出力する。
【００１８】
なお、上記実施例において、映像処理回路１１は音声処理回路、映像出力手段１２は音声出力手段としてもよい。
【００１９】
（実施の形態２）
図２に本発明の実施の形態２におけるビデオ切換スイッチ制御装置のブロック構成図を示す。実施の形態１と同じ構成要素には同じ番号を付与し説明は省略する（以下同じ）。
【００２０】
図２において、６、７、８はｍ＋１進カウンタの出力を別の０からｍの値に変換するｎ個の変換テーブル、９は変換テーブル６、７、８からの出力のうち任意の１つを選択する変換テーブル切換スイッチ、１３は変換テーブル切換スイッチ９を切換える変換テーブル選択信号である。
【００２１】
以下にその動作について説明する。
変換テーブル切換スイッチ９が変換テーブル６に切換わっていて、変換テーブル６が例えば図４のような変換テーブルの場合は実施の形態１と同じ動作を行なう。具体的にはビデオ切換信号３が入力されるごとにテレビ、ビデオ入力１、ビデオ入力２、ビデオ入力３、ゲームの順に切り換えることができる。
次に、変換テーブル選択信号１３によって変換テーブル切換スイッチ９が変換テーブル７に切換わり、変換テーブル７が例えば図５に示すような変換テーブルの場合は、ビデオ切換信号３が入力されるごとにテレビ、ゲーム、ビデオ入力１、ビデオ入力２、ビデオ入力３の順に切り換えることができる。
【００２２】
即ち、テレビジョン受像機を家族全員で見ている場合に子供はチューナからゲームに簡単に切換えたいが、お父さんはチューナからビデオテープデッキで録画しておいた信号を入力しているビデオ入力１に簡単に切換えたいというような、使用する人によってビデオ切換えの順序が異なる場合に、変換テーブル選択信号１３によって変換テーブル切換スイッチ９を好きな順番になる変換テーブルを選んでおくことにより、ビデオ切換信号３によって好きな順番にチューナとビデオ入力信号を選ぶことができる。
【００２３】
（実施の形態３）
図３に本発明の実施の形態３におけるビデオ切換スイッチ制御装置のブロック構成図を示す。
【００２４】
図３において４は変換テーブル書換え命令、１４はｍ＋１進カウンタ５の出力を変換テーブル書換え命令４に従って任意の値に変換することのできる書換え可能な変換テーブルである。
【００２５】
以下にその動作について説明する。
書き換え可能な変換テーブル１４が例えば図４のような変換テーブルの内容になっている場合は実施の形態１と同じ動作を行ないビデオ切換信号３が入力されるごとにテレビ、ビデオ入力１、ビデオ入力２、ビデオ入力３、ゲームの順に切り換えることができる。
同様に、書き換え可能な変換テーブル１４が例えば図５のような変換テーブルの内容になっている場合はビデオ切換信号３が入力されるごとにテレビ、ゲーム、ビデオ入力１、ビデオ入力２、ビデオ入力３の順に切り換えることができる。
実施の形態２と同じ効果が得られる。
【００２６】
実施の形態２と異なる点は、実施の形態２の場合に例えばチューナ、ビデオ１、ビデオ２、ビデオ３、ゲームと５つの切換えを任意に行なうためには１２０組みの変換テーブルを用意しておく必要があるが、実施の形態３では書換え可能な１個の変換テーブルを用意しておくだけで実際にテレビジョン受像機を操作する人が好みの状態に設定できるためコスト的に非常に有利になる。
【００２７】
なお、実施の形態２と実施の形態３を組み合わせて、書き換え可能な変換テーブルを複数組み用意しておけば、実施の形態２で説明したような使用者によって変わる場合にも実施の形態３は適応できる。
【００２８】
【発明の効果】
以上のように本発明によれば、テレビジョン受像機の複数の入力を自由に好みに応じて順番を切換えることができるビデオ切換えスイッチ制御装置を提供することが可能となる。
【図面の簡単な説明】
【図１】本発明の実施の形態１に係るビデオ切換えスイッチ制御装置のブロック構成図
【図２】本発明の実施の形態２に係るビデオ切換えスイッチ制御装置のブロック構成図
【図３】本発明の実施の形態３に係るビデオ切換えスイッチ制御装置のブロック構成図
【図４】変換テーブルの一例の図
【図５】変換テーブルの一例の図
【図６】変換テーブルの一例の図
【図７】従来のビデオ切換スイッチ制御装置のブロック構成図
【符号の説明】
１  チューナからの入力信号
２  ビデオ入力信号
３  ビデオ切換信号
４  変換テーブル書換え命令
５  ｍ＋１進カウンタ
６  １個目の変換テーブル
７  ２個目の変換テーブル
８  ｎ個目の変換テーブル
９  変換テーブル切換スイッチ
１０  ビデオ切換スイッチ
１１  映像処理回路
１２  映像出力手段
１３  変換テーブル選択信号
１４  書換え可能な変換テーブル
【図１】
0004273539.tif 000002
【図２】
0004273539.tif 000003
【図３】
0004273539.tif 000004
【図４】
0004273539.tif 000005
【図５】
0004273539.tif 000006
【図６】
0004273539.tif 000007
【図７】
0004273539.tif 000008